(57)【要約】      （修正有）【課題】収納する小物の量に応じてできるだけコンパクトな状態で携行できると共に、小物を起立姿勢で保持・収納できる小物収納ケースを提供する。【解決手段】小物収納ケース１００は、第一シート面１及び第二シート面２を重ねて上部に開口部を設けるように袋状に形成したケース本体１０と、ケース本体の上部に形成された蓋４と、第二シート面の下部横方向かつ略直線状に内設された芯材５と、第一シート面の略中央かつ下方に内設された円形の底板６と、蓋に設けた仮止め用のマグネット７と、第二シート面に設けた蓋用マグネット８とを備える。蓋を全開にして芯材５に所定の外力を付与することにより変形させケース本体をほぼ環状とする。その際、第一シート面の中央部を摘まんで引き出すと共に端縁部同士をマグネット７の磁力により仮止めし、持ち手部とする。ケース本体の底に底板６が配置され有底筒状体となるので、筆記具を起立姿勢で保持・収納できる。【選択図】図１
0003211104.tif 000002
【実用新案登録請求の範囲】
【請求項１】
第一シート面及び第二シート面を重ねて上部に開口部を設けるように袋状に形成したケース本体と、
当該ケース本体の上部に第一シート面から延出して形成された前記開口部を塞ぐための蓋と、
前記第二シート面に対してその横方向かつ略直線状に設けた芯材と、
前記第一シート面の略中央に設けた円形の底板と、
前記蓋に設けた相互に吸着する仮止め用の一対の吸着体と、
前記第二シート面に設けられると共に前記吸着体と吸着する仮止め用の一対の蓋用吸着体とからなり、
前記蓋用吸着体は、第一シート面のうち前記蓋を折り返したときに前記吸着体の位置に対向する位置に設けられ、且つ、前記吸着体は、蓋を持ち手に変形させたとき当該吸着体どうしで仮固定できる位置に配置されている、ことを特徴とする小物収納ケース。
【請求項２】
前記吸着体は、マグネットの組またはマグネットと金属片との組で構成されることを特徴とする請求項１に記載の小物収納ケース。
【請求項３】
前記蓋は、長手方向端縁が二つの山を形成する形状になることを特徴とする請求項１又は２に記載の小物収納ケース。
【考案の詳細な説明】
【技術分野】
【０００１】
本考案は、筆記具、眼鏡、化粧品や化粧道具等の小物を収納できると共に、これらの小物を起立姿勢で保持・収納できる小物収納ケースに関するものである。
【背景技術】
【０００２】
従来より、ペン立てとしても使用できる筆記具ケースが提供されている（例えば、特許文献１、特許文献２参照）。例えば、特許文献１に係る従来の筆記具ケースは、内部に収納空間を有する所定長さのケース本体と、このケース本体の長手方向一端側に形成された出し入れ口を開閉可能とする開閉手段とを備え、ケース本体は、少なくとも二つのケース形成体の組み合わせからなり、これらケース形成体は、ケース本体の長さを変化する方向に相対移動可能に設けられている。また、ケース本体は、出し入れ口の反対側を設置部として自立可能な形状に設けられている。ケース本体は、所定面積の底面部をケース本体の底部に備えている。
【０００３】
また、特許文献２に係る従来の筆記具ケースは、内部に収納空間を有する所定長さのケース本体と、このケース本体の幅方向一端側に設けられて当該ケース本体を開閉可能とする開閉手段とを備え、ケース本体は、開閉手段を閉位置にしたときに強制的な折り曲げ力を受けて折れ曲がる一方、開閉手段を開位置にしたときに所定角度開くように構成されている。また、ケース本体は、開閉手段を開位置にしたときに起立可能に設けられている。ケース本体は、所定面積の底シートをケース本体の底部に備えている。
【０００４】
このように構成された特許文献１及び２に係る従来の筆記具ケースは、ケース本体の開閉手段を開き操作したときに、ケース本体が開いて筆記具を取り出し易くするとともに、直ちにペン立てとして利用できる、としている。
【先行技術文献】
【特許文献】
【０００５】
【特許文献１】特開２００２−３２０５１２号公報
【特許文献２】特開２００２−３２０５１３号公報
【考案の概要】
【考案が解決しようとする課題】
【０００６】
しかし、上記特許文献１及び２に係る従来の筆記具ケースは、所定面積の底面部や底シートをケース本体の底部に備えており、これらによってケース本体を予め有底袋状に形成し、ケース本体の内部に筆記具の収納空間を確保すると共に、起立可能にするための設置面として機能するようになっている。そのため、収納する筆記具の多少にかかわらず、ケース本体が常に所定の内容積を有しており、鞄等に入れて携行する際に鞄内で場所を取ってしまう、という課題があった。
そのため、収納物の量に応じてできるだけコンパクトな状態で携行できる収納ケースの提供が望まれていた。
また、筆記具のみならず、眼鏡、化粧品や化粧道具等の小物を収納できると共に、これらの小物を起立姿勢で保持・収納できる小物収納ケースの提供が望まれていた。
【０００７】
本考案は、収納する小物の量に応じてできるだけコンパクトな状態で携行できると共に、これらの小物を起立姿勢で保持・収納できる小物収納ケースを提供することを目的とする。
【課題を解決するための手段】
【０００８】
本考案の小物収納ケースは、第一シート面及び第二シート面を重ねて上部に開口部を設けるように袋状に形成したケース本体と、当該ケース本体の上部に第一シート面から延出して形成された前記開口部を塞ぐための蓋と、前記第二シート面に対してその横方向かつ略直線状に設けた芯材と、前記第一シート面の略中央に設けた円形の底板と、前記蓋に設けた相互に吸着する仮止め用の一対の吸着体と、前記第二シート面に設けられると共に前記吸着体と吸着する仮止め用の一対の蓋用吸着体とからなり、前記蓋用吸着体は、第一シート面のうち前記蓋を折り返したときに前記吸着体の位置に対向する位置に設けられ、且つ、前記吸着体は、蓋を持ち手に変形させたとき当該吸着体どうしで仮固定できる位置に配置されている、ことを特徴とする。
【０００９】
前記吸着体は、マグネットの組またはマグネットと金属片との組で構成しても良い。また、前記蓋は、長手方向端縁が二つの山を形成する形状とするのが好ましい。
【図面の簡単な説明】
【００１０】
【図１】この考案の実施の形態１に係る小物収納ケースを示し、（ａ）は平面図、（ｂ）は背面図である。
【図２】図１に示した小物収納ケースの蓋を開けた状態を示す平面図である。
【図３】図１に示した小物収納ケースの蓋を開けた状態を示す背面図である。
【図４】図１に示した小物収納ケースを示す底面図である。
【図５】図１に示した小物収納ケースの展開図である。
【図６】芯材と底板を示す平面図である。
【図７】図１に示した小物収納ケースの使用方法を示す説明図である。
【図８】図１に示した小物収納ケースの使用方法を示す説明図である。
【図９】図１に示した小物収納ケースの使用方法を示す説明図である。
【図１０】図１に示した小物収納ケースの使用方法を示す説明図である。
【図１１】図１に示した小物収納ケースの使用方法を示す説明図である。
【図１２】図１に示した小物収納ケースの使用方法を示す説明図である。
【図１３】図１に示した小物収納ケースの使用方法を示す説明図である。
【図１４】図１に示した小物収納ケースの使用方法を示す説明図である。
【図１５】図１に示した小物収納ケースの変形例を示す説明図である。
【考案を実施するための形態】
【００１１】
図１は、この考案の実施の形態１に係る小物収納ケースを示し、（ａ）は平面図、（ｂ）は背面図である。図２は、図１に示した小物収納ケースの蓋を開けた状態を示す平面図である。図３は、図１に示した小物収納ケースの蓋を開けた状態を示す背面図である。図４は、図１に示した小物収納ケースを示す底面図である。この小物収納ケース１００は、筆記具、眼鏡、化粧品や化粧道具、洗顔道具等の小物を収納すると共に、これらの小物を起立姿勢でも保持・収納できるように構成したものである。以下の説明においては、収納対象である小物として筆記具Ｓを例にして説明する。
【００１２】
この小物収納ケース１００は、第一シート面１及び第二シート面２を重ねて上部に開口部３を設けるように袋状に形成したケース本体１０と、当該ケース本体１０の上部に第一シート面１を延出して形成された前記開口部３を塞ぐための蓋４と、前記第二シート面２の下部横方向かつ略直線状に内設された芯材５と、前記第一シート面１の略中央かつ下方に内設された円形の底板６と、前記蓋４に設けた仮止め用のマグネット７と、前記第二シート面２に設けた蓋４と吸着して仮止めするための蓋用マグネット８とを備えている。第一シート面１及び第二シート面２は、二枚の面材を貼り合わせた構造であり、マグネット７及び蓋用マグネット８は、面材の間に挟まれた状態で当該第一シート面１及び第二シート面２に内設され、外部に露出しない。このため、外観がすっきりと綺麗になる。
【００１３】
図５は、図１に示した小物収納ケースの展開図である。前記第一シート面１、前記第二シート面２及び蓋４は、連続した面素材で構成される。第一シート面１と第二シート面２との境である折り目部分ＶＬで折り曲げて当該第一シート面１と第二シート面２とが袋状に形成されると共に上部に開口部３が形成される。前記第一シート面１及び第二シート面２の側面端縁１ａは縫合されている。この他、バイアステープでの縫合、接着剤による接着、熱溶着等の手段を用いることができる。
【００１４】
前記芯材５は、所定の外力を付与することにより変形し、開口部３の側から見たケース本体１０の平面視形状を略直線状から略環状に変化させてその状態を維持すると共に、所定の外力を付与することによりケース本体１０の平面視形状をほぼ環状からほぼ直線状に復帰させその状態を維持する部材である。具体的には、芯材５を内設した第二シート面２が略直線状と略環状に変化する。この芯材５には、図６（ａ）に示すような、帯状の金属板で幅方向断面が若干湾曲したタックルと称される板体が用いられる。
【００１５】
前記底板６は、図６（ｂ）に示すような厚みのある樹脂製シートによりほぼ円形に形成され、第一シート面１の長手方向のほぼ中央部に内設されている。
【００１６】
前記マグネット７は円形のものでも良いし、方形のものでも良い。蓋４の長手方向端縁４ａは波形状に形成されており、その山になっている２つの部分の頂部近傍にそれぞれ当該マグネット７が内設されている。また、第一シート面１のうち、蓋４を折り返したときに前記マグネット７内設位置に対向する位置には、蓋用マグネット８が内設される。蓋４の長手方向端縁が二つの山を形成する波形状となることで、蓋４を図中縦方向の中心軸Ｌで折り曲げたときに上手く持ち手部を形成できるからである。
【００１７】
また、前記蓋４に設けたマグネット７は、横方向で蓋４の図中縦方向の中心軸Ｌに対して対称に設けられる。即ち、蓋４を縦方向中心軸Ｌで折り曲げたときに、当該マグネット７どうしが対向するように配置される。なお、前記蓋用マグネット８は、マグネット７が吸着すればよいので金属片で代替できる。更に、蓋４を閉じるときに互いに吸着すれば良く、且つ、後述の持ち手部を形成するときに互いに吸着すれば良いので、マグネットと金属片とを対角に配置しても良い。
【００１８】
即ち、図１５に示すように、マグネット７と金属片７ａ、蓋用マグネット８と蓋用金属片８ａからなり、マグネット、金属片は互いに対角に配置される。このようにしても、蓋４を縦方向中心軸Ｌで折り曲げたときに、当該マグネット７と金属片７ａが吸着するし、蓋４を閉じたときにはマグネット７と金属片８ａ、金属片７ａと蓋用マグネット８が互いに吸着する。なお、マグネットどうし又はマグネットと金属片との組を吸着体とする。
【００１９】
このように、マグネット７及び蓋用マグネット８は、蓋４を開閉して仮固定できる位置に配置されていると共に、後述するように蓋４を持ち手Ｈに変形させたときにも当該マグネット７どうしで仮固定できる位置に配置されている。なお、前記ケース本体１０の第一シート面１及び第二シート面２は、塩化ビニール製シートにより構成する。
【００２０】
図７乃至図１４は、図１に示した小物収納ケースの使用方法を示す説明図である。小物収納ケース１００を通常の筆入れとして使用する場合には、ケース本体１０をほぼ直線状にしたコンパクトな状態で、ケース本体１０内に筆記具Ｓ等の小物を入れて携行できる。つまり、小物収納ケース１００を上記通常の筆入れとして使用する場合や小物を収納していない状態において、小物収納ケース１００の厚みが薄いため、バインダー等に入れて携行することもでき、また、鞄等に入れても場所を取らない。すなわち、収納する小物の量に応じてできるだけコンパクトな状態で携行できる。
【００２１】
図７に示すように、筆記具Ｓを収納する場合、蓋４をあけて開口部３を開き、袋状に形成した第一シート面１と第二シート面２との中に筆記具Ｓを入れる。筆記具Ｓを入れたら前記蓋４を閉じてマグネット７と蓋用マグネット８とを吸着させ、当該蓋４を仮固定する。これにより、小物収納ケース１００の中に筆記具Ｓを収納できる。
【００２２】
次に、小物収納ケース１００は、筒状に組み立てられ、ペン立てとして使用することもできる。この場合、小物収納ケース１００の組み立ては、次のように行う。まず、蓋４を全開にし、芯材５に所定の外力を付与することにより変形させ、ケース本体１０を平面視形状がほぼ環状となるようにする。その際、図８に示すように、第一シート面１の長手方向におけるほぼ中央部Ｃを摘まんで引き出すと共に、図９及び図１０に示すように、第一シート面１の端縁部同士をマグネット７の磁力により仮止めする。これにより、環状となったケース本体１０の底に底板６が配置され、図１１及び図１２に示すように、全体的に有底筒状体となる。筆記具Ｓを起立姿勢で保持・収納した状態の例を図１３に示す。また、上記仮止めによって、第一シート面１により持ち手部Ｈが形成され、小物収納ケース１００を持ち易くなる。
【００２３】
また、芯材５は、ケース本体１０の下部に配置されている。そのため、ケース本体１０の重心位置が低くなり、小物を起立状態で収納した際の安定感を良くすることができる。底板６を金属等の重い板材で構成しても安定感の向上につながる。
【００２４】
また、図１４に示すように、蓋４と第一シート面１との間にファイル、紙、布などの面状体Ｆを挟んだ状態で当該蓋４を閉じると、マグネット７及び蓋用マグネット８の磁力により面状体Ｆを挟んで固定できる。例えば、図１４（ａ）に示すように、クリアファイルＦの内側にケース本体１０を入れ、蓋４を外に出してクリアファイルＦの片側のシートを挟むようにして当該蓋４を閉じると、図１４（ｂ）に示すように、マグネット７及び蓋用マグネット８の作用により蓋４と第一シート面１とによりクリアファイルＦの片側のシートが挟まれる。
【００２５】
これにより、小物収納ケース１００は、クリアファイルＦに取り付いて仮固定できる。このため、持ち運びに大変便利である。なお、図１５に示すように、マグネットの一方を金属片にした場合や、蓋用マグネット８を金属片に代替えした場合も同様の作用効果を奏する。この仮固定は、筆記具Ｓを収納した状態でも行うことができる。マグネット７（金属片７ａ）及び蓋用マグネット８（金属片８ａ）のいずれか一方の寸法を大きくすることで、筆記具Ｓを収納して多少膨らんでも、蓋４を閉じることでマグネット７（金属片７ａ）及び蓋用マグネット８（金属片８ａ）の吸着力が得られるので、面状体Ｆへの仮固定が可能となる。
【００２６】
なお、本考案は、前述した実施の形態に制限されるものではなく、適宜変更が可能である。例えば、ケース本体１０の素材として、塩化ビニール製シートを用いるものとして説明したが、これに限定されない。例えば、合皮、皮、布、紙、プラスチック等の素材であってもよい。
【００２７】
また、芯材５として、板バネを用いるものとして説明したが、これに限定されず、上記機能を有するものであれば、板バネの他、塑性変形可能なワイヤー部材、塩化ビニール樹脂製の板材若しくは線材など、いずれのものであってもよい。また、ケース本体１０の平面視形状をほぼ直線状及びほぼ環状に規定することができれば、第二シート面２をそのような塑性変形可能な素材により構成してこれを芯材としてもよい。また、芯材５をケース本体１０の下部に配置するものとして説明したが、これに限定されず、上部及び下部、上部のみ、あるいはその他の位置に設けてもよい。
【符号の説明】
【００２８】
１００  小物収納ケース
１  第一シート面
２  第二シート面
３  開口部
４  蓋
５  芯材
６  底板
７  マグネット
８  蓋用マグネット
１０  ケース本体
【図１】
0003211104.tif 000003
【図２】
0003211104.tif 000004
【図３】
0003211104.tif 000005
【図４】
0003211104.tif 000006
【図５】
0003211104.tif 000007
【図６】
0003211104.tif 000008
【図７】
0003211104.tif 000009
【図８】
0003211104.tif 000010
【図９】
0003211104.tif 000011
【図１０】
0003211104.tif 000012
【図１１】
0003211104.tif 000013
【図１２】
0003211104.tif 000014
【図１３】
0003211104.tif 000015
【図１４】
0003211104.tif 000016
【図１５】
0003211104.tif 000017